Podtech/llm-jp-corpus-v4-ja_patent huggingface dataset:
(57)【要約】      （修正有）【課題】足裏を刺激する新しい足裏刺激具を提供する。【解決手段】足裏刺激具は、足裏当接面と接地面を少なくとも有する本体部と、前記本体部の前記足裏当接面に設置され、樹脂で構成され、頂部が面取りされた、円柱形状の突起部を有する。【選択図】なし【特許請求の範囲】
【請求項１】
足裏当接面と接地面を少なくとも有する本体部と、前記本体部の前記足裏当接面に設置された突起部とを有する足裏刺激具。
【請求項２】
前記足裏当接面が平面ないし略平面である、請求項１に記載の足裏刺激具。
【請求項３】
前記突起部が前記足裏当接面に垂直な方向に伸長する、請求項１または２に記載の足裏刺激具。
【請求項４】
前記突起部が円柱形状である、請求項１〜３のいずれか１項に記載の足裏刺激具。
【請求項５】
前記突起部の頂部が面取りされている、請求項１〜４のいずれか１項に記載の足裏刺激具。
【請求項６】
前記突起部の突起高さが２〜７ｃｍである、請求項１〜５のいずれか１項に記載の足裏刺激具。
【請求項７】
前記突起部の最大径が１〜４ｃｍである、請求項１〜６のいずれか１項に記載の足裏刺激具。
【請求項８】
前記突起部は頂部に圧力をかけると収縮し、圧力を解放すると元の形状に可逆的に復元する、請求項１〜７のいずれか１項に記載の足裏刺激具。
【請求項９】
前記突起部の頂部に２０ｋｇの圧力をかけたときに前記突起部の高さが５〜５０％収縮する、請求項１〜８のいずれか１項に記載の足裏刺激具。
【請求項１０】
前記突起部が樹脂で構成されている、請求項１〜９のいずれか１項に記載の足裏刺激具。
【請求項１１】
前記突起部がエチレン酢酸ビニル共重合体で構成されている、請求項１０に記載の足裏刺激具。
【請求項１２】
前記本体部の前記足裏当接面に突起部が１つ設置されている、請求項１〜１１のいずれか１項に記載の足裏刺激具。
【請求項１３】
前記本体部の前記足裏当接面に突起部が２つ設置されている、請求項１〜１１のいずれか１項に記載の足裏刺激具。
【請求項１４】
前記２つの突起部が、互いに１０〜３０ｃｍ離れて設置されている、請求項１３に記載の足裏刺激具。
【請求項１５】
前記２つの突起部が同一形状である、請求項１３または１４に記載の足裏刺激具。
【請求項１６】
前記本体部の前記足裏当接面に２つの突起部が互いに対称になる位置に設置されている、請求項１３〜１５のいずれか１項に記載の足裏刺激具。
【請求項１７】
前記本体部が直角三角柱状であり、その底面が前記接地面で、その斜面が前記足裏当接面である、請求項１〜１６のいずれか１項に記載の足裏刺激具。
【請求項１８】
前記本体部が、前記直角三角柱の底面と斜面の交線から幅１〜４ｃｍにわたって切り欠かれている、請求項１５に記載の足裏刺激具。
【請求項１９】
前記接地面と前記足裏当接面の角度が１０〜２０度である、請求項１〜１８のいずれか１項に記載の足裏刺激具。
【請求項２０】
前記突起部を、栂指球と土踏まずの境界域またはその近傍に当接する、請求項１〜１９のいずれか１項に記載の足裏刺激具。
【請求項２１】
前記足裏当接面に栂指球周りの足裏を当接し、かかとは当接しない、請求項１〜２０のいずれか１項に記載の足裏刺激具。
【請求項２２】
長母指屈筋、短母指屈筋またはこれらの両方を刺激するための請求項１〜２１のいずれか１項に記載の足裏刺激具。
【請求項２３】
ふくらはぎを伸ばすための請求項１〜２２のいずれか１項に記載の足裏刺激具。
【請求項２４】
明細書の各図面に記載された足裏刺激具群から選択される足裏刺激具。
【発明の詳細な説明】
【技術分野】
【０００１】
本発明は足裏刺激具に関する。特に本発明は、栂指球と土踏まずの境界域またはその近傍を刺激する足裏刺激具に関する。
【０００２】（公序良俗違反につき、不掲載）【０００３】（公序良俗違反につき、不掲載）【０００４】（公序良俗違反につき、不掲載）【０００５】（公序良俗違反につき、不掲載）【０００６】（公序良俗違反につき、不掲載）【０００７】（公序良俗違反につき、不掲載）【０００８】（公序良俗違反につき、不掲載）【０００９】（公序良俗違反につき、不掲載）【００１０】（公序良俗違反につき、不掲載）【００１１】（公序良俗違反につき、不掲載）【００１２】（公序良俗違反につき、不掲載）【００１３】（公序良俗違反につき、不掲載）【００１４】（公序良俗違反につき、不掲載）
(57)【要約】【課題】ベランダ手摺り周りで幼児の行動を制限、痛みを与える取り付け簡単な転落防止具を提供する。【解決手段】幼児が手摺りをよじ登る行動を阻止する巾と間口のある側壁部材を設け、幼児の手指が触れると痛みを感じるノコギリ状の切り込みを連続して設けたキザミ目部材を設け、既存の手摺りに複数のバンドを介し異なる安全対策部材を組み合わせネジ体で一体構造としたことを特徴とする転落防止補助具。【選択図】図２
2019195598.tif 000002
【特許請求の範囲】
【請求項１】
幼児が手摺りをよじ登る行動を阻止する巾と間口のある側壁部材を設け、幼児の手指が触れると痛みを感じるノコギリ状の切り込みを連続して設けたキザミ目部材を設け、既存の手摺りに複数のバンドを介し異なる安全対策部材を手摺り平行にネジ体で一体構造としたことを特徴とする転落防止補助具。
【発明の詳細な説明】
【技術分野】
【０００１】本発明は、幼児のベランダから転落事故防止安全対策に関するものである。
【背景技術】
【０００２】従来、幼児がベランダから転落事故防止に有効な対策はなかった。
【発明の概要】
【発明が解決しようとする課題】
【０００３】（イ）ベランダの手摺りを掴みよじ登り転落する事故が多く発生している。
本発明は、これらの問題点を解決するためになされたものである。
【課題を解決するための手段】
【０００４】幼児が手摺りをよじ登る行動を阻止する巾と間口のある側壁部材を設け、幼児の手指が触れると痛みを感じるノコギリ状の切り込みを連続して設けたキザミ目部材を設け、既存の手摺りに複数のバンドを介し異なる安全対策部材をネジ体で一体構造とした。
以上を特徴とする転落防止補助具である。
【発明の効果】
【０００５】幼児が手摺りをよじ登ろうとしても側壁部材が障害になり阻止できる。手摺りを掴もうとしてもノコギリ状のキザミ目により痛みを感じ手摺りを掴むことができない。部材は状況変化により取り外しできる。危険な箇所に既存の手摺りにバンドで装着固定するだけで現場での複雑な作業もない。
【図面の簡単な説明】
【０００６】
【図１】  本発明の側壁部材、キザミ目部材をバンド締めプレートを介し一体とした組み合わせ側面図。
【図２】  本発明を既存の手摺りに装着固定した使用例を示す側面図。
【図３】  本発明のキザミ目部材の斜視図。
【図４】  本発明の側壁部材、キザミ目部材を既存の手摺りにバンドで装着固定した使用例を示す正面図。
【発明を実施するための形態】
【０００７】以下、本発明の実施の形態について説明する。
幼児が手摺りをよじ登る行動を阻止する巾と間口のある側壁部材を設け、幼児の手指が触れると痛みを感じるノコギリ状の切り込みを連続して設けたキザミ目部材を設け、既存の手摺りに複数のバンドを介し異なる安全対策部材を組み合わせネジ体で一体構造とした。状況の変化により部材は取り外しでき単体でも利用できる。側壁は圧迫感を避けるため穴抜きアルミプレート等がある。
本発明は以上のような構成である。
これを使用するときは、既存の手摺りをバンドで挟みバンド締めつけプレートの間に側壁部材の上部を差し込みプレートの上にキザミ目部材を置きネジ体で締め付け固定する。バンド回転擦れを止めるストッパーネジで固定する。
【符号の説明】
【０００８】１  バンド
２  側壁部材
３  キザミ目部材
４  ネジ体
５  バンド締め付けプレート
６  既存の手摺り
７  ストッパーネジ
８  ヒンジ
【図１】
2019195598.tif 000003
【図２】
2019195598.tif 000004
【図３】
2019195598.tif 000005
【図４】
2019195598.tif 000006
(57)【要約】      （修正有）【課題】浴槽の蓋が横ずれしても浴槽の中に落ちることのない落下防止方法を提供する。【解決手段】風呂浴槽３に、蓋ズレ防止フック１を取り付ける。風呂蓋２の横が蓋ズレ防止フック１にあたることにより、風呂蓋２が横ずれしない様にする。【選択図】図２
2019195605.tif 000002
【特許請求の範囲】
【請求項１】
浴槽の蓋がズレない様に、浴槽にズレ防止のフックを付ける。
【請求項２】
ズレ防止のフックに蓋があたり、蓋が横ずれせず蓋が落ちない。
【発明の詳細な説明】
【技術分野】
【０００１】本発明は浴槽の蓋にストッパーを付けろ事に関するものである。
【背景技術】
【０００２】従来の浴槽の蓋はズレると、浴槽内に蓋が落ちてしまう。
【発明の概要】
【発明が解決しようとする課題】
【０００３】従来の浴槽の蓋はズレると、浴槽内に蓋が落ちてしまい、わずらわしかった。
この発明は、上の問題点を解決するものである。
【課題を解決するための手段】
【０００４】そこで、本発明は蓋が横ズレしない様に、簡単取り付けれるズレ防止のフックを付けてずれない様にした。
【発明の効果】
【０００５】このフックを付ける事により横ズレを防止して、蓋がズレなくなる。
【図面の簡単な説明】
【０００６】
【図１】本発明の立体図
【図２】本発明の取り付け図
【発明を実施するための形態】
【０００７】  以下、本発明の実施の形態を説明する。
（イ）風呂浴槽にズレ防止のフックを付ける。
（ロ）蓋の横にフックが当たり、蓋がズレない。
【符号の説明】
【０００８】（１）蓋ズレ防止フック、（２）、風呂蓋、（３）風呂浴槽
【図１】
2019195605.tif 000003
【図２】
2019195605.tif 000004
【手続補正書】
【提出日】平成30年11月13日(2018.11.13)
【手続補正１】
【補正対象書類名】明細書
【補正対象項目名】０００１
【補正方法】変更
【補正の内容】
【０００１】本発明は浴槽に、ズレ防止のフックを付ける事に関するものである。
【手続補正２】
【補正対象書類名】図面
【補正対象項目名】図１
【補正方法】変更
【補正の内容】
【図１】
2019195605.tif 000005
(57)【要約】      （修正有）【課題】２階、３階で火災が発生した時に熱気により避難梯子が加熱され６０度以上になり、避難梯子が使用できなくなるのを防止する。【解決手段】縄梯子を帯状の水袋５に入て、水袋５を中に入った縄梯子ごと巻き上げて巻き形として止め帯で止める。水袋５の上部に鋸刃８を設ける。火災時には、巻き形の止め帯をはずすと水袋５は中に入った水の重量で縄梯子ごと巻きがほどけながら降下する。同時に、上部に設けた鋸刃８が水袋５を切断し中の水を放出する。放出された水が縄梯子の加熱を防ぎ安全に避難活動できる。【選択図】図１
2019195604.tif 000002
【特許請求の範囲】
【請求項１】
図示の縄（ロープ）梯子５  を水袋５に挿入して加熱防止の構成
【請求項２】
有事に  止め帯７  を外し  巻形６  の急降下力で水袋入り梯子５  の上部に設けた鋸歯８で水袋５  を切断の  鋸歯８の構成、
【発明の詳細な説明】
【分野技術】
【０００１】火災時の避難  縄梯子  （ロープ，組紐梯子）に関する
【背景技術】
【０００２】０００１に記載のロープ  組紐  又は金属系  素材の避難梯子は火災時に熱気で６０度以上の加熱で避難活動の不能課題を水を利用して課題  解決案。
【発明の概要】
【発明が解決しようとする課題】
【０００４】従来の避難梯子の素材は天然繊維  サイザル麻  ビニロン糸をロープ組紐にして避難梯子を創って、その素材を火災時に火気熱気で加熱を防ぐ為  縄梯子５  を図示の帯状の水袋５に入れて  図２に示す従来と同型に巻形６にして避難口に置く。、
【課題を解決するための手段】
【０００５】いざ避難  時に０００４に示す水袋入り梯子５  を巻き上げた  巻形６  を受け止め帯７を外すと水袋５  の水重力で水着梯子５  を残し水袋５  は急降下前  同時にその降下力で上部に設けた鋸歯８  で水袋５  の上部を自動切断  残った水着梯子５  の水着で加熱が遅く成り寸時も早く安全に避難活動を可能とする。
【発明の効果】
【０００６】最悪の２〜３階の場で火災に遭遇時、０００５に説明の如く水濡れの梯子５  は加熱を防ぎ安全寸時も早く避難活動が出来る。
【図面の簡単な説明】
【０００７】
【図１】水袋入り梯子の全体、
【図２】は図１を巻き形を示す、
【発明を実施するための形態】
【０００８】本案は図２の巻き上げ  巻形６  の重量は梯子８ｍと水袋共で１０ｋｇに設計して少学生も避難活動  可能に工夫、尚  有事実施には事前の訓練が必要である。
【符号の説明】  ５  水袋に入った梯子ロープ        ６  梯子の巻形        ７  止め帯
（８）  鋸歯
（Ｉ）  梯子ロープの固定場と水袋の上部
（２）  ベランダ手摺に梯子固定
（３）  注水口
（４）  水量調整口
【図１】
2019195604.tif 000003
【図２】
2019195604.tif 000004
(57)【要約】【課題】  従来、毛染めやパーマ掛けを行うには、衣服が濡れたり汚れたりするのを防止する『ケープ』と、施術中に髪の温度を一定に保ち、髪を固定し纏めるための『キャップ』がそれぞれ別で必要であったが、髪をキャップで覆う際、薬剤が衣服や手に付着したり、髪を上手くキャップの中に入れられずなかなか作業が安定しなかった。  本発明は、毛染めやパーマ掛けの際に必要不可欠な『ケープ機能』と『キャップ機能』、需要の高いこれら２つの機能をたった１枚の耐水性シート（同一素材）にて提供するものである。【解決手段】耐水性素材からなる略三角形（又は略半円形）シートの左右両側に、頂部から底部付近に掛けて切り込みを入れ紐状にし、その内側に６か所の小さな穴を開け先ほど紐状にしたものを縫うように頂部まで通し、その紐の弛緩と緊張によって生起するシートの形状変化を利用することで『ケープ』と『キャップ』、２つの機能を実現する。【選択図】図１
2019195603.tif 000002
【特許請求の範囲】
【請求項１】
耐水性素材からなる略三角形（又は略半円形）シートの左右両側に、頂部から底部付近に掛けて切り込みを入れ紐状にし、その内側に６か所の小さな穴を開け先ほど紐状にしたものを縫うように頂部まで通し、それを引き、絞ることで『キャップ機能』を、逆に紐を緩め、広げることで『ケープ機能』を、１枚の耐水性素材（同一素材）により実現することを特徴とする『ヘアケープキャップ』である。
【請求項２】
前記シート部底部の内側に吸水性素材のテープを取り付けることでより液垂れをし難くさせることを特徴とする請求項１記載の『ヘアケープキャップ』。
【発明の詳細な説明】
【技術分野】
【０００１】  本発明は毛染めやパーマ掛けを行う際に衣服が濡れたり汚れたりするのを防止するケープの機能を有した『ヘアケープキャップ』に関するものである。
【背景技術】
【０００２】  従来、毛染めやパーマ掛けを行うには『ケープ』と『キャップ』がそれぞれ別で必要であった。
【先行技術文献】
【特許文献】
【０００３】
【特許文献１】特開２００１−３１４２２４号公報
【発明の概要】
【発明が解決しようとする課題】
【０００４】  毛染めやパーマ掛けを行うには、衣服が濡れたり汚れたりするのを防止するための『ケープ』と、施術中に髪の温度を一定に保ち、髪を固定し纏めるための『キャップ』が必要であるが、髪をキャップで覆う際、薬剤が衣服や手に付着したり、髪を上手くキャップの中に入れられずなかなか作業が安定しなかった。
本発明は以上の問題点を解決するものである。
【課題を解決するための手段】
【０００５】  耐水性素材からなる略三角形（又は略半円形）シートの左右両側に、頂部から底部付近に掛けて切り込みを入れ紐状にし、その内側に６か所の小さな穴を開け先ほど紐状にしたものを縫うように頂部まで通す。
以上が１枚の耐水性シートからなる、ケープの役割も果たす『ヘアケープキャップ』である。
【発明の効果】
【０００６】  従来、毛染めやパーマ掛けを行う際には、衣服が濡れたり汚れたりするのを防止する『ケープ』と、施術中に髪の温度を一定に保ち、髪を固定し纏めるための『キャップ』がそれぞれ別で必要であった。
本発明は施術中に衣服が濡れたり汚れたりするのを防止するケープの機能を兼ね備えると同時に、施術中に髪の温度を一定に保ち、手間を掛けることなく軽易かつ簡捷に髪を固定し纏めることができる。
【図面の簡単な説明】
【０００７】
【図１】本発明の組み立て前表側平面図
【図２】本発明の組み立て後表側平面図
【図３】本発明の組み立て後裏側平面図（吸水性素材取り付けバージョン）
【図４】本発明の使用イメージ（ケープ機能）
【図５】本発明の機能チェンジ手順図▲１▼
【図６】本発明の機能チェンジ手順図▲２▼
【図７】本発明の機能チェンジ手順図▲３▼
【図８】本発明の使用イメージ（キャップ機能）
【発明を実施するための形態】
【０００８】  以下、本発明の実施の形態を説明する。
（イ）耐水性素材の略三角形（又は略半円形）シートのシート部（１）に、頂部（２）から底部（３）に掛けて切り込みを入れ紐（４）状にする（左右両方）。
（ロ）その内側に６か所の紐通し穴（５）を開ける（左６か所、右６か所、計１２か所。１番上の穴を一本化し、左５か所、右５か所の計１１か所でも可）。
（ハ）（イ）で作成した紐（４）をシート部（１）の頂部（２）まで布を縫う要領で交互に紐通し穴（５）へ通す。
（ニ）より液垂れをし難くさせたい場合はシート部（１）の底部（３）にお好みで吸水性素材（６）を取り付ける。
本発明は以上のような構造である。
本発明はその性質上、紐（４）の弛緩と緊張によりその形状を変化させることで２つの機能を実現する。
よって、本発明を使用する際は、紐（４）を引き、絞ることで『キャップ』としての使用が、逆に紐（４）を緩め、広げることで『ケープ』としての使用が可能となる。
本発明の最大の特徴はたった１枚の耐水性素材（同一の素材）でこの高級な機能を実現することにあるが、同時に特段難解な組み立て作業を要さず、その使用法にも別段特筆することがないことが最大の特長である。
【符号の説明】
【０００９】  １  シート部、２  頂部、３  底部、４  紐、５  紐通し穴、６  吸水性素材
【図１】
2019195603.tif 000003
【図２】
2019195603.tif 000004
【図３】
2019195603.tif 000005
【図４】
2019195603.tif 000006
【図５】
2019195603.tif 000007
【図６】
2019195603.tif 000008
【図７】
2019195603.tif 000009
【図８】
2019195603.tif 000010
(57)【要約】【課題】  ギフトケース内の限られたスペースに納めることが出来、ギフトケースのフタを開けると起き上がるＰＯＰカードを提供する。【解決手段】  ギフトケース用ＰＯＰに板バネの上部を貼付けて、ＰＯＰが立ち上がった状態で板バネ下部をギフトケース内に固定をして板バネの復元力によりギフトケースのフタを開けると起き上がるＰＯＰカード。【選択図】図３
2019195987.tif 000002
【特許請求の範囲】
【請求項１】
ギフトケース用ＰＯＰに板バネの上部を貼付けて、ＰＯＰが立ち上がった状態で板バネ下部をギフトケース内に固定をして板バネの復元力によりギフトケースのフタを開けると起き上がるＰＯＰカード。
【発明の詳細な説明】
【技術分野】
【０００１】  本発明は、ギフトケース内の限られたスペースに納めることが出来、ギフトケースのフタを開けると起き上がるＰＯＰカードに関するものである。【０００２】  従来、ギフトケース内の商品名やキャッチコピーのＰＯＰのほとんどは、平面的ＰＯＰである。
【発明の開示】
【発明が解決しようとする課題】
【０００３】  そのために、次のような問題点があった。
（イ）ＰＯＰが商品の一部を隠していた。
（ロ）ギフトケース内に商品以外にＰＯＰスペースを必要とした。
（ハ）ギフトケースを開けたときのサプライズ感を与える表現力が低かった。
本発明は以上の問題点を解決しようとするものである。
【課題を解決するための手段】
【０００４】  ギフトケース用ＰＯＰに板バネの上部を貼付けて、ＰＯＰが立ち上がった状態で板バネ下部をギフトケース内に固定をして板バネの復元力によりギフトケースのフタを開けると起き上がるＰＯＰカードである。
【発明の効果】
【０００５】  本発明は、ＰＯＰがギフトケース内の商品を隠したり、商品スペースを奪うこともなく、ギフトケース内の限られたスペースに納めることの出来るＰＯＰカードになる。また、平面的表現のＰＯＰを立体的表現にすることによりギフトケースを開けたときのサプライズ感を与えることが出来る。
【発明を実施するための最良の形態】
【０００６】  以下、本発明の実施の形態を説明する。
（イ）板バネ（１）の上部とＰＯＰ（２）の下部を貼付け、板バネ（１）下部と台紙（３）を貼付ける。
（ロ）台紙（３）をギフトケース身（５）とギフト商品（６）の隙間に差込み固定するる。
（ハ）ＰＯＰ（２）を倒しながらギフトケース蓋（４）で閉めて包装をする。
本発明は、以上の構成よりなっている。
本発明を使用するときは、ギフトケース蓋（４）を開けると板バネ（１）の復元力でＰＯＰ（２）が起き上がる。この結果、ＰＯＰ（２）の立体的表現によりサプライズ感をいっそう感じてもらうことが出来る。
【図面の簡単な説明】
【０００７】
【図１】本発明の正面図
【図２】本発明の裏正面図
【図３】本発明のギフトケースセット斜視図
【図４】本発明のギフトケースセット梱包状態断面図
【図５】従来のギフトケース用ＰＯＰセットの斜視図
【符号の説明】
【０００８】１    板バネ
２    ＰＯＰ
３    台紙
４    ギフトケース蓋
５    ギフトケース身
６    ギフト商品
【図１】
2019195987.tif 000003
【図２】
2019195987.tif 000004
【図３】
2019195987.tif 000005
【図４】
2019195987.tif 000006
【図５】
2019195987.tif 000007
(57)【要約】【課題】  ベロ部を別途作製する必要がなく、アッパー本体の甲部分にベロ部の継ぎ目のない紐付き靴を提供する。【解決手段】  アッパー本体１２を合成樹脂製とし、靴紐を通す紐孔１３ａを有する左右一対のフラップ１３と、この一対のフラップ１３の間のベロ部１４とをアッパー本体１２の甲部分に一体成型するようにして、別途ベロ部１４の作製工程、ベロ部１４の接着あるいは縫製工程を不要とし、履き心地のよい、デザイン性に優れた紐付き靴を得るようにした。【選択図】図１
2019195925.tif 000002
【特許請求の範囲】
【請求項１】
アッパー本体を合成樹脂製とし、靴紐を通す紐孔を有する左右一対のフラップと、この一対のフラップの間のベロ部とをアッパー本体の甲部分に一体成型したことを特徴とする紐付き靴。
【発明の詳細な説明】
【技術分野】
【０００１】
この発明は、合成樹脂製のアッパー本体の甲部分に、一対の紐通しフラップと、一対の紐通しフラップの間にタン部を備える紐付き靴に関するものである。
【背景技術】
【０００２】
従来、紐付き靴１は、図２に示すように、アッパー本体２の甲部分に、靴紐を通す紐孔３ａを有する左右一対のフラップ３と、この一対のフラップ３の間にベロ部４とを備えている（特許文献１）。
【０００３】
ベロ部４は、アッパー本体２とは別パーツで形成され、アッパー本体２の甲部分に、接着あるいは縫製により装着されている。
【先行技術文献】
【特許文献】
【０００４】
【特許文献１】特開２０１３−８１７１４号公報
【発明の概要】
【発明が解決しようとする課題】
【０００５】
しかしながら、ベロ部４をアッパー本体２と別パーツで形成されていると、アッパー本体２の作製工程以外に、ベロ部４の作製工程が別途必要であると共に、ベロ部４の接着あるいは縫製工程も必要となり、作製に手間がかかる。
【０００６】
また、ベロ部４とアッパー本体２との継ぎ目から水分がアッパー本体２内に侵入するおそれがある。
【０００７】
また、アッパー本体２の甲部分にベロ部４の継ぎ目があると、履き心地に悪影響を及ぼすと共に、デザイン性も悪い。
【０００８】
そこで、この発明は、ベロ部を別途作製する必要がなく、アッパー本体の甲部分にベロ部の継ぎ目のない紐付き靴を提供しようとするものである。
【課題を解決するための手段】
【０００９】
前記の課題を解決するために、この発明は、アッパー本体を合成樹脂製とし、靴紐を通す紐孔を有する左右一対のフラップと、この一対のフラップの間のベロ部とをアッパー本体の甲部分に一体成型したものである。
【発明の効果】
【００１０】
以上のように、この発明の紐付き靴は、アッパー本体の甲部分に一体成型によって左右一対のフラップとベロ部とが設けられているので、従来のように、別途ベロ部の作製工程、ベロ部の接着あるいは縫製工程が不要であるため、作製工程が大幅に削減することができる。
【００１１】
また、アッパー本体の甲部分に一体成型によってベロ部が設けられているので、デザイン性に優れ、ベロ部からの水分の侵入もなく、良好な履き心地が得られる。
【図面の簡単な説明】
【００１２】
【図１】この発明に係る紐付き靴の一例を示す斜視図である。
【図２】従来の紐付き靴を示す斜視図である。
【発明を実施するための形態】
【００１３】
この発明の紐付き靴１１は、図１に示すように、アッパー本体１２を合成樹脂製にして、靴紐を通す紐孔１３ａを有する左右一対のフラップ１３と、この一対のフラップ１３の間のベロ部１４とをアッパー本体１２の甲部分に一体成型したものである。
【００１４】
この発明の紐付き靴１１のアッパー本体１２を成型する金型には、左右一対のフラップ１３を形成する部分と、ベロ部１４を形成する部分を一体に備えている。
【００１５】
以上のようにして製造された紐付き靴１１は、ベロ部１４がアッパー本体１２と一体に形成されているので、ベロ部１４からの水の侵入を防止でき、しかも従来のような継ぎ目もないので、履き心地が良好でデザイン性にも優れている。
【００１６】
この発明は前述した実施形態に何ら限定されるものではなく、この発明の要旨を逸脱しない範囲内において、さらに種々の形態で実施し得ることは勿論のことであり、この発明の範囲は、特許請求の範囲によって示され、さらに特許請求の範囲に記載の均等の意味、および範囲内のすべての変更を含む。
【符号の説明】
【００１７】
１１    ：紐付き靴
１２    ：アッパー本体
１３    ：フラップ
１３ａ  ：紐孔
１４    ：ベロ部
【図１】
2019195925.tif 000003
【図２】
2019195925.tif 000004
(57)【要約】      （修正有）【課題】バッテリーを利用したモータはバッテリーがなくなると充電するか、バッテリーを交換するしか方法がなかった。また、内燃機関や化学反応を利用した発電装置を別途に取り付け、モーターと連携させて複雑な構造になり、小型化ができにくい動力と発電が同時に得られる動力装置を提供する。【解決手段】バッテリー４のスイッチ７を入れると動力用モーター１が回転し、ジョイント５で連結されている発電用モーター２が回転して同時に発電を開始して、バッテリー４に充電され、動力と発電が同時に得られる。動力用モーター１、１個以上の発電用モーター２、バッテリー４、ジョイント５、スイッチ７、電気的接続８で構成されている。【選択図】図１
2019195245.tif 000002
【特許請求の範囲】
【請求項１】
動力源モーター１と１個以上の発電用モーター２，３とバッテリー４を有し、動力源モーター１と発電用モーター２、３はジョイント５でつながれ、発電した電力をバッテリー４に充電する構造をもった、動力装置
【請求項２】
請求項１の構造を持った自動車動力装置
【発明の詳細な説明】
【技術分野】
【００１】バッテリーを動力源として動力用モーター１を回すと、動力用モーター１とジョイント５でつながってる発電用モーター２がまわり、バッテリー４に充電する装置
【背景技術】
【００２】自動車動力装置のバッテリーの容量がなくなるとバッテリーを充電、もしくはバッテリーの交換が必要で
【発明の概要】
【発明が解決しようとする課題】
【００３】従来のバッテリー動力装置はバッテリーの容量がなくなると充電もしくはバッテリーを交換するかもしくは別途に発電装置を連結させて、構造が複雑になっている。
【課題を解決するための手段】
【００４】バッテリー４と動力用モーター１及び１個以上の発電用モーター２，３及びジョイント５冶具で構成され、バッテリー４のスイッチをいれるとモーター１が回転し、ジョイント５で連結されている、モーター２，３が回転して同時に発電を開始して、バッテリー４に充電され動力と発電が同時に得られる
【発明の効果】
【００５】本発明においてはバッテリーの充電回数が格段に減少し、バッテリーの容量を小さくできることや発電用モーターのエナメル線の増減により発電量の増減が可能になり、ギヤ・タイミングベルト等のジョイントを採用することでギヤ比などでも発電量の増減が可能である。
又は、バッテリーの容量を大きくすることにより、大きなモーターによる大きな動力を得ることができる。
別途に発電装置を取り付けなくてよく、モーター同士のジョイントなので構造がシンプルで小型化ができ、自動車では走行距離が延び、この動力装置は船舶用、農業用などに転用可能である。
【図面の簡単な説明】
【００６】
【図１】  本考案によるによる動力装置と発電装置
【図２】  発電用モーター２個による動力装置
【図３】  カラージョイント
【図４】  ギヤによるジョイント
【図５】  タイミングベルトによるジョイント
【図６】  流体継手によるジョイント
【図７】  磁石によるジョイント
【図８】  シャフト一体化
【発明を実施するための形態】
【００７】バッテリーから電源を取るモーターは両頭とし、片方は動力源とし、もう片方は１個以上のモーターとジョイントでつなぎ発電と動力の一体化が可能であり、モーター同士のジョイント方法ではギャ・タイミングベルト・流体ジョイント・磁石・シャフト１本化がある。
カラージョイントはカラー内部でモーターシャフトを突合せるジョイントを図に示す
ギヤによるジョイントは動力用モーターシャフト６と発電用モーターシャフト６にそれぞれにギヤ１６を取り付けるギヤ同志のジョイントを図に示す
タイミングベルトによるジョイントはタイミングベルト１８とタイミングプーリー１７を利用したジョイントを図に示す
流体によるジョイントはボックス２３の中に油２０と弧を描いたジョイントパッド１９を突合せ無段変速的なジョイントを図に示す
磁石によるジョイントは各モーターシャフト６に磁石２１を取り付けたジョイントを図に示す
シャフト一体化は動力用モーターシャフト６と発電用モーターシャフト６のシャフトが一本物を図に示す
【符号の説明】
【００８】  １          動力用モーター
２          発電用モーター
３          発電用モーター
４          バッテリー
５          ジョイント部
６          モーターシャフト
７          スイッチ
８          電気的接続
９          カラージョイント
１０          ギヤジョイント
１１          タイミングベルトジョイント
１２          流体ジョイント
１３          磁石ジョイント
１４          シャフト一体化
１５          カラー
１６          ギヤ
１７          タイミングプーリー
１８          タイミングベルト
１９          ジョイントパッド
２０          油
２１          磁石
２２          セットボルト
２３          ボックス
【図１】
2019195245.tif 000003
【図２】
2019195245.tif 000004
【図３】
2019195245.tif 000005
【図４】
2019195245.tif 000006
【図５】
2019195245.tif 000007
【図６】
2019195245.tif 000008
【図７】
2019195245.tif 000009
【図８】
2019195245.tif 000010
(57)【要約】【課題】従来のスーツケースは、すれちがう人と接触してしまうという問題があった。【解決手段】人が一定距離に近づくと距離センサーが反応し、モーターがまわり、取り付けたラジコンカーの前輪の向きが変わることによって、自分の方へスーツケースが自動的に寄り、すれちがう人との接触を防ぐことができる。【選択図】図３
2019195387.tif 000002
【特許請求の範囲】
【請求項１】
スーツケース下部（２）に固定された前輪（４）と、前記前輪（４）にとりつけたステアリングシステム（５）（６）を設け、前記ステアリングシステム（５）（６）に接続した距離センサー（１）をスーツケース上部（２）に固定する、スーツケースにおける衝突防止器。
【発明の詳細な説明】
【技術分野】
【０００１】  本発明は、衝突防止を図ったスーツケースの機構に関するものとする。
【背景技術】
【０００２】  従来のスーツケースには、ＬＥＤなどの警告棒で人にスーツケースの存在を知らせることで衝突を防止していたものがある。（例えば特許文献１参照）
【先行技術文献】
【特許文献】
【０００３】
【特許文献１】実登３１６７６７６
【特許文献２】
【非特許文献】
【・・・・】
【非特許文献１】
【非特許文献２】
【発明の概要】
【発明が解決しようとする課題】
【０００４】  以上に述べた従来のスーツケースでは、あせっている人はなかなかＬＥＤなどに気づけず、そのまま衝突してしまっていた。
【課題を解決するための手段】
【０００５】  そこで、本発明は上記課題を解決するため、人が一定距離に近づくと距離センサーが反応し、モーターがまわり、取り付けたラジコンカーの前輪の向きが変わることによって、自分の方へスーツケースが自動的に寄ることができる。
【発明の効果】
【０００６】  本発明のスーツケースは、人が一定距離に近づくと距離センサーが反応し、モーターがまわり、取り付けたラジコンカーの前輪の向きが変わることによって、自分の方へスーツケースが自動的に寄り、通行人との接触を防ぐことができる。
【図面の簡単な説明】
【０００７】
【図１】本発明の側方から見た外観図
【図２】本発明の側方から見た外観図
【図３】本発明の下方から見た外観図
【図４】図３における詳細構造を示す図
【発明を実施するための形態】
【０００８】  以下、本発明の実施の形態を図面に基づいて説明する。
【０００９】  図１・２の１（距離センサー）が前方からくる人を感知し、図３・４の５（モーター）が動き、それに固定された６（クランク）が、４（ラジコンカーの前輪）にふれ、タイヤの向きが右になり、持っている人の方へ２（スーツケース）が動き、すれ違う人との接触が防止できる。
【実施例】
【・・・・】
【産業上の利用可能性】
【・・・・】
【符号の説明】
【００１０】  １  距離センサー
２  スーツケース
３  キャスター
４  ラジコンカーの前輪
５  モーター
６  クランク
【受託番号】
【・・・・】
【図１】
2019195387.tif 000003
【図２】
2019195387.tif 000004
【図３】
2019195387.tif 000005
【図４】
2019195387.tif 000006
(57)【要約】      （修正有）【課題】根がかりを低減する釣り用錘の提供。【解決手段】回転止め３と、回転軸を有する錘１、２、両者を結合する輪状弾性体から構成されることを特徴とする、釣り具用錘。【選択図】図１
2019195319.tif 000002
【特許請求の範囲】
【請求項１】
回転止めと、回転軸を有する錘、回転止めと錘を結合する輪状弾性体から構成されることを特徴とする、釣り具用錘。
【発明の詳細な説明】
【技術分野】
【０００１】  本発明は、投げ釣り等において根がかりを低減する釣り具に関するものである。
【背景技術】
【０００２】  岩礁帯に餌を付けた仕掛けを錘によって着底させる釣りにおいては、錘が岩に引っかかる根がかりが発生する。根がかりが発生した時には釣り糸を切って仕掛けの回収を放棄せざるを得ず、経済的に損失であるうえに放棄した釣り糸が水鳥に絡まってしまう事もあり環境問題を起こしていた。従来技術として、浮きを利用して錘を垂直に持ち上げ、根がかりを低減させる技術が存在した。
【先行技術文献】
【特許文献】
【０００３】
【特許文献１】特開２０１０−１７８７３３号広報
【発明の概要】
【発明が解決しようとする課題】
【０００４】  複雑な地形の海底においては錘が落下していく過程で浮きと錘の間に障害物が入り込む場合もあり、従来技術である垂直に持ち上げるだけでは根がかりを回避することができなかったため、従来技術で根がかりが回避できない場合にも根がかりを低減する。
【課題を解決するための手段】
【０００５】  前述した課題を解決するために、錘を垂直方向だけではなく、様々な方向に持ち上げることができるように、錘自体が転がりながら障害物を回避し根がかりを回避する。
【発明の効果】
【０００６】  本発明により、錘の根がかりを無くす事で経済的損失を無くし、環境問題を発生させないことができる。
【図面の簡単な説明】
【０００７】
【図１】本発明に係る釣り用回転錘の斜視図である。
【図２】上記釣り用回転錘の上面の説明図である。
【図３】上記図２のＡ−Ａ線断面図である。
【図４】上記釣り用回転錘の分解斜視図である。
【図５】上記釣り用回転錘の仕様説明図である。
【発明を実施するための形態】
【０００８】  発明の実施の形態を実施例にもとづき図面を参照して説明する。本発明品は、図１乃至図４に示すように、半球形状の錘１と錘２を組み合わせた錘部と錘の回転を防止する回転止めから構成される。錘１と錘２はカシメにより結合される。この錘部と回転止めは、輪状弾性体により接続される。
【０００９】  また、回転止め部先端には釣り糸や仕掛けと結び合わせるための輪状の取り付け部を糸等で取り付ける。糸は図より省いている。この取り付け部を介して、釣り糸または釣り糸の先端に取り付けられた仕掛けの先端に取り付け使用される。
【００１０】  回転止めは、摩擦係数の高い部品で構成され、輪状弾性体の引っ張る力により錘部と摩擦力が発生し回転を防止する。
【００１１】  図５に示すように、釣り糸を引っ張った際に錘が障害物と接触することにより、輪状弾性体に引っ張り力が作用する。作用した引っ張り力で輪状弾性体が伸び、輪状弾性体止めが回転止めを引っ張ることによって回転止めと錘部との接触が解除され、錘が回転することが可能になり、障害物を転がりながら回避することができる。
【符号の説明】
【００１２】１  錘１
２  錘２
３  回転止め
４  輪状弾性体
５  取り付け部
６  輪状弾性体止め
【図１】
2019195319.tif 000003
【図２】
2019195319.tif 000004
【図３】
2019195319.tif 000005
【図４】
2019195319.tif 000006
【図５】
2019195319.tif 000007
(57)【要約】【課題】主光源ＬＥＤの配置を外周に広げることができ、なおかつ、常夜灯用ＬＥＤ点灯時の影を解消することのできる照明装置の提供。【解決手段】  器具本体と、前記器具本体の下面側に複数の主光源ＬＥＤを搭載した光源基板と、前記光源基板を覆う透光性樹脂カバーを装着したＬＥＤ照明装置において、前記光源基板は、外形が略四角状の略板状であり、前記光源基板の略中央には器具本体取付部品を回避する開口孔を設け、かつ、前記開口孔の周囲に複数の主光源ＬＥＤを円周状に配し、前記光源基板の四隅の一隅に電源基板との接続を行うコネクタ部品を配し、別の一隅にリモコン送信機の赤外線受光器を配し、さらに別の一隅に主光源とは別の常夜灯用ＬＥＤを一つ配置する。【選択図】図１
2019008891.tif 000002
【特許請求の範囲】
【請求項１】
器具本体と、前記器具本体の下面側に複数の主光源ＬＥＤを搭載した光源基板と、前記光源基板を覆う透光性樹脂カバーを装着したＬＥＤ照明装置において、
前記光源基板は、外形が略四角状の略板状であり、前記光源基板の略中央には器具本体取付部品を回避する開口孔を設け、かつ、前記開口孔の周囲に複数の主光源ＬＥＤを円周状に配し、前記光源基板の四隅の一隅に電源基板との接続を行うコネクタ部品を配し、別の一隅にリモコン送信機の赤外線受光器を配し、さらに別の一隅に主光源とは別の常夜灯用ＬＥＤを一つ配置するＬＥＤ照明装置。
【請求項２】
前記透光性樹脂カバーは、器状を成し、下面に主光源ＬＥＤ個々を覆うドーム状凸部を複数形成し、前記光源基板と前記透光性樹脂カバーを搭載した前記器具本体と前記器具本体全面を覆う環状形透光カバーを設けたことを特徴とする請求項１に記載のＬＥＤ照明装置。
【発明の詳細な説明】
【技術分野】
【０００１】
本発明は、ＬＥＤ照明装置に関するものである。
【背景技術】
【０００２】
従来、ＬＥＤ照明装置における主光源ＬＥＤは、略円形状の透光カバーの形状に合わせ、光源基板の上に円周状に複数が配置されている。また、常夜灯用ＬＥＤは、主光源ＬＥＤの近傍に配置されている。
【０００３】
光源基板は、主光源ＬＥＤの配置に合わせた形状として、１枚で外形が略円形状なものや複数の光源基板を合わせて外形を略円形状としたものも用いられている（特許文献１）。特許文献１では、光源基板の内周側にコネクタが設けられている。
【先行技術文献】
【特許文献】
【０００４】
【特許文献１】特開2016-15352号公報
【発明の概要】
【発明が解決しようとする課題】
【０００５】
従来技術では、コネクタの配置スペースを設けるため、主光源ＬＥＤをずらす必要があった。
また、常夜灯用ＬＥＤは、主光源ＬＥＤの近傍に配置されているため、常夜灯用ＬＥＤの点灯時に拡散部材に光が照射し、透光カバーに影が映写される恐れがあった。
【０００６】
主光源ＬＥＤの配置を外周に広げることができ、なおかつ、常夜灯用ＬＥＤ点灯時の影を解消することのできる照明装置の提供を目的とする。
【課題を解決するための手段】
【０００７】
器具本体と、前記器具本体の下面側に複数の主光源ＬＥＤを搭載した光源基板と、前記光源基板を覆う透光性樹脂カバーを装着したＬＥＤ照明装置において、前記光源基板は、外形が略四角状の略板状であり、前記光源基板の略中央には器具本体取付部品を回避する開口孔を設け、かつ、前記開口孔の周囲に複数の主光源ＬＥＤを円周状に配し、前記光源基板の四隅の一隅に電源基板との接続を行うコネクタ部品を配し、別の一隅にリモコン送信機の赤外線受光器を配し、さらに別の一隅に主光源とは別の常夜灯用ＬＥＤを一つ配置する。
【発明の効果】
【０００８】
本発明によれば、光源基板に配置する部品を四隅に配分することで、主光源ＬＥＤの配置を外周に広げることができ、なおかつ、常夜灯用ＬＥＤ点灯時の影を解消することができる。
【０００９】
また、光源基板の材料寸法を大きくするが必要なくなり、コスト低減が図れる。
【図面の簡単な説明】
【００１０】
【図１】環状形ＬＥＤ照明装置の構成を示す斜視図である。
【図２】従来技術の光源基板配置を示す上面図である。
【図３】従来技術の光源基板を搭載した器具本体の断面図である。
【図４】本発明の光源基板配置を示す上面図である。
【図５】本発明の光源基板を搭載した器具本体の断面図である。
【発明を実施するための最良の形態】
【００１１】
以下、本発明の実施例を添付図面に従って説明する。
【００１２】
図１に示す器具本体１は、鋼板製で環状の皿形状を成し、内周部に透光カバー受け具２を複数配置し、中央部に設けた開口を介して別部品の配線部品３で天井面の配線部品に固定される。器具本体１の下面には、板状で基板外形を略四角状に形成した光源基板４を配置し、光源基板４の中央面は配線部品３を回避する開口孔５を設け、かつ、開口孔５の周囲に複数の主光源ＬＥＤ６を略円周状に配し、光源基板４の四隅のうちの一隅に電源基板との接続を行うコネクタ部品７を配し、さらに、別の一隅にリモコン送信機の赤外線受光器８を配し、さらに別の一隅に主光源とは別の常夜灯用ＬＥＤ９を配置する。
さらに光源基板４を覆うように下方から透明樹脂部材で成形された器状の透光性樹脂カバー１０を備え、透光性樹脂カバー１０の下面に主光源ＬＥＤ６を個々に覆う複数のドーム状凸部１１とコネクタ部品７と赤外線受光器８と常夜灯用ＬＥＤ９を各々覆う凸部１２、１３、１４を形成する。
透光カバー１５は透光性樹脂で器状に成形され、器具本体１の下方を覆い、カバー受け具２によって保持する。
図２に示す従来技術の光源基板１６は、コネクタ部品７と赤外線受光器８を一隅の台形部１７に配置し、常夜灯ＬＥＤ９を主光源ＬＥＤ６の中間に配置している。
図３に光源基板１６と透光性樹脂カバー１０を配置した器具本体１８を示す。
常夜灯ＬＥＤ９は、主光源ＬＥＤ６との間になるため、点灯時にドーム状凸部１１に光があたり、透光カバー１５に影が発生する。
図４に示す光源基板４はコネクタ部品７と赤外線受光器８と常夜灯用ＬＥＤ９を各々四隅に配分することにより、主光源ＬＥＤ６を光源基板４外周付近まで円周状に配置することが可能としている。
図５に光源基板４と透光性樹脂カバー１０を配置した器具本体１を示す。
常夜灯用ＬＥＤ９を主光源ＬＥＤ６の外側に配置することで、点灯時にドーム状凸部１１に光があたることがなくなるため、影の発生を抑制することができる。
【符号の説明】
【００１３】
１…器具本体、４…光源基板、６…主光源ＬＥＤ、７…コネクタ部品、８…赤外線受光器、９…常夜灯ＬＥＤ、１０…透光性樹脂カバー、１５…透光カバー
【図１】
2019008891.tif 000003
【図２】
2019008891.tif 000004
【図３】
2019008891.tif 000005
【図４】
2019008891.tif 000006
【図５】
2019008891.tif 000007
(57)【要約】      （修正有）【課題】従来、光ファイバーを切断する方法がなかったために困っていた。本発明は光ファイバを切断する事により困らないようにするためのものである。インターネットなどを使用している時に、切断したいときなどに、光ファイバーを切断する方法を提供する。【解決手段】光ファイバー１に、延長コードなどの電源コード２を巻きつけ、それに電気を流すことにより、光ファイバを切断する事ができる。【選択図】図１
2019008263.tif 000002
【特許請求の範囲】
【請求項１】
光ファイバーに電源コードを設けた。
【発明の詳細な説明】
【技術分野】
【０００１】この発明は、光ファイバーに電気を流して切断する方法に関するものである。
【背景技術】
【０００２】従来、光ファイバーの切断方法はなかった。
【発明の概要】
【発明が解決しようとする課題】
【０００４】これは次のような欠点があった。
従来、光ファイバーの切断する方法はなかった。
切断する方法がなく因っていた。
本発明は、切断するこにより、因らないようにするものである
【課題を解決するための手段】
【０００５】光ファイバーに延長コードなどのコードを巻き付け、電気を流す。
【発明の効果】光ファイバーに電気を流すことにより、切断できる。
【図面の簡単な説明】
【０００７】
【図１】本発明の図である。
【発明を実施するための形態】
【０００８】以下、本発明を実施するための形態について説明する。
光ファイバーに電源コードの延長コードを巻きつける。
【符号の説明】
【０００９】１  光ファイバー
２  電源コード
【図１】
2019008263.tif 000003
(57)【要約】      （修正有）【課題】澄んだ音を実現する陶器製三味線を提供する。【解決手段】振動板取付部を有する陶器製共鳴体胴１を持った三味線において、振動板２に弦と弦張力調整具を設けた棹４を固着し、振動板を陶器製共鳴体胴に挿入すると共に、振動板を振動板取付部に固着する。【選択図】図１
2019008016.tif 000002
【特許請求の範囲】
【請求項１】
振動板取付部を有する陶器製共鳴体胴を持った三味線において、振動板に弦と弦張力調整具を設けた棹を固着し、前記振動板を陶器製共鳴体胴に挿入すると共に、振動板を振動板取付部に固着したことを特徴とする陶器製三味線。
【発明の詳細な説明】
【技術分野】
【０００１】
本発明は陶器を本体とした和楽器三味線に関する。
【背景技術】
【０００２】
これまでの三味線は発音を木の胴と動物の皮及び、絹の糸により、作成されていた。
【先行技術文献】
【特許文献】
【０００３】
【特許文献１】特開２００１-１１７５５７号公報
【発明の概要】
【発明が解決しようとする課題】
【０００４】
本願発明者は既存の和楽器三味線の音色ではなく、陶器の澄んだ音色を実現することを発案した。
また、従来の三味線は、発音を木の胴と動物の皮及び絹の糸により構成されていた。
【課題を解決するための手段】
【０００５】
和楽器の三味線であって振動板取付部を有する陶器製共鳴体胴を持った三味線において、振動板に弦と弦張力調整具を設けた棹を固着し、前記振動板を陶器製共鳴体胴に挿入すると共に、振動板を振動板取付部に固着したことを特徴とする陶器製三味線。
【発明の効果】
【０００６】
本装置により、音の透明感が得られ、新しいジャンルが開発された。
胴が陶器製のため、作成される色が釉薬の種類により多種の色にする事が出来、作品がカラフルになり芸術性が高まった。
胴には皮を使用しないので動物の虐待を止める事が出来た。
【図面の簡単な説明】
【０００７】
【図１】図１は陶器製三味線の全体図を示す。
【図２】図２は胴の内部構造を示す。
【発明を実施するための形態】
【０００８】
陶器製共鳴体胴には強化プラスチックやアルミで製作された振動板が、ネジで取付けられ、振動板には棹と下部弦取付器が各々のネジで取付けられる。又棹には弦張力調整具が金具によりネジで取付けられる。弦張力調整具には、弦張力調整棒が３本設置され、棹の上部には、弦接触防止具がネジで取付けられ、弦張力調整棒により、音の強さを調整する。
陶器製共鳴体胴の大きさは、径が２０ｃｍ程で、長さは２０ｃｍ。厚さは８ｍｍ程であり、上部には取付部巾８ｃｍ、長さ６ｃｍ、厚さ１ｃｍ程の振動板取付部が設置され棹の長さは７０ｃｍ程である。
【実施例】
【０００９】
本発明の実施例を説明すると、図１は陶器製三味線の上面図であり、図２は側面図である。以下図に沿って説明すると、陶器製共鳴体胴（1）には振動板取付部（16）が作成されており、その振動板取付部（16）には振動板（2）を取付けるための取付穴（17）が４ヶ所あり留めネジ（3）により固定され、その振動板（2）には棹（4）が留めネジ（5）により固定され、又振動板（2）には下部弦取付器（6）が留めネジ（7）により取付けられている。
【００１０】
下部弦取付器（6）には弦（8）の端を弦取付具（9）により取付けられ固定される。そして棹（4）には、弦張力調整具（10）を金具（11）、留めネジ（12）により固定される。その弦張力調整具（10）には弦張力調整棒（13）が設置され、弦（8）が捲きつけられ固定される。棹（4）の上部には弦（8）の棹（4）への接触を防ぐ弦接触防止具（14）が、留めネジ（15）により固定される。
【００１１】
弦張力調整棒（13）の回転により、弦（8）の張力を調整し、調整後演奏する。
【００１２】
本発明は一般の木製の胴に皮を装着した方法ではなく、陶製で胴に皮を装着しないので、発音の音量が不足するが、振動板を胴の内部まで設置する事により、音を大きくすることができた。陶器の音により、音の透明感が得られ澄んだ音が得られるようになった。
【符号の説明】
【００１３】
1   陶器製共鳴体胴
2   振動板
3   留めネジ
4   棹
5   留めネジ
6   下部弦取付器
7   留めネジ
8   弦
9   弦取付具
10  弦張力調整具
11  金具
12  留めネジ
13  弦張力調整棒
14  弦接触防止具
15  留めネジ
16  振動板取付部
・  取付穴
【図１】
2019008016.tif 000003
【図２】
2019008016.tif 000004
(57)【要約】      （修正有）【課題】電子書籍の現金等での代金決済を容易にする電子書籍代金の店頭決済システムを提供する。【解決手段】客が選んだ電子書籍の識別情報をスマートフォン等の携帯端末１の画面上にバーコード、ＱＲコード（登録商標）等で表示２し、店舗のパーコードリーダー、ＱＲコードリーダー等の読み取り装置３で読み取り、電子書籍の識別情報、客の識別情報、代金受領の情報を電子書籍のサーバーコンピューター５に送信して決済する。【選択図】図１
2019008757.tif 000002
【特許請求の範囲】
【請求項１】
客が選んだ電子書籍の識別情報をスマートフォン等の携帯端末の画面上にバーコード、ＱＲコード等で表示し、店舗のパーコードリーダー、ＱＲコードリーダー等の読み取り装置で読み取り、電子書籍の識別情報、代金受領の情報を電子書籍のサーバーコンピューターに送信することを特徴とする、電子書籍の決済方法。
【発明の詳細な説明】
【技術分野】
【０００１】  この発明は、電子書籍代金の代金決済方法に関するものである。
【発明の概要】
【発明が解決しようとする課題】
【０００２】  従来、電子書籍の代金決済はクレジットカードによるものが主流で、カードを持たない者には利用しづらいという欠点があった。
【課題を解決するための手段】
【０００３】  本発明では、客が選んだ電子書籍の識別情報をスマートフォン等の携帯端末の画面上にバーコード、ＱＲコード等で表示し、店舗のパーコードリーダー、ＱＲコードリーダー等の読み取り装置で読み取り、電子書籍の識別情報、客の識別情報、代金受領の情報を電子書籍のサーバーコンピューターに送信して決済する。
【発明の効果】
【０００４】  電子書籍の現金等での代金決済を容易にする。【０００５】
【図面の簡単な説明】
【０００６】
【図１】本発明の電子書籍決済の処理方法の一例を示す図である。
【発明を実施するための形態】
【０００７】  以下は、本発明を実施する一例である。
【０００８】  客がウェブサイト上の検索等で選んだ電子書籍の識別情報と、客の識別情報をスマートフォン等の携帯端末の画面上にバーコード、ＱＲコード等で表示し、書店の店舗のＩＣタグリーダー、バーコードリーダーなどの読み取り装置で読み取る。
【０００９】  店頭での現金等での代金受領後、読み取られた電子書籍の識別情報、客の識別情報、代金受領の情報は、電子書籍システムのホストコンピューターにインターネット回線で送られる。
【００１０】  電子書籍システムのホストコンピューターは、代金受領が済んだ旨の情報を登録し、当該電子書籍を購入者が閲覧することを許諾する。
【符号の説明】
【００１１】１  記録された客の携帯端末
２  バーコード、ＱＲコード等、書籍情報、客の識別情報を示す表示。
３  書店の店舗のバーコードリーダー、ＱＲコードリーダー等の読み取り装置
４  商品管理システムのコンピューター
５  電子書籍システムのホストコンピューター
６  記録された客のパソコン
７  記録された客の携帯端末
８  インターネット回線
【図１】
2019008757.tif 000003